(57)【要約】      （修正有）【課題】胴体の両端の双方から内容物を装填可能であり、外観性を向上した容器を提供する。【解決手段】紙容器１に、筒状の胴体１０の両端の開口に蓋体３０、４０を被着したことを特徴とする。前記胴体に板紙を多重巻きにすることで、外観性を向上させる。【選択図】図１
0003151077.tif 000002
【実用新案登録請求の範囲】
【請求項１】
筒状の胴体の両端の開口に蓋体を被着してなる容器。
【請求項２】
前記胴体が板紙を多重巻きしてなる請求項１に記載の容器。
【請求項３】
前記多重巻きした胴体の外面形成紙に切開加工部を設けてなる請求項２に記載の容器。
【請求項４】
前記多重巻きした胴体の外面形成紙に設けた取付孔に取手を挿入係止してなる請求項２又は３に記載の容器。
【請求項５】
前記多重巻きした胴体の外面形成紙の左面と右面に設けた切開加工部が左右の着座部を形成する請求項３又は４に記載の容器。
【請求項６】
前記多重巻きした胴体の外面形成紙の一部が、該胴体の筒面から外方に飛び出る飛び出し部を形成する請求項２〜５のいずれかに記載の容器。
【請求項７】
筒状の胴体の両端が互いに異形状をなし、それらの少なくとも一端の開口に蓋体を被着してなる容器。
【考案の詳細な説明】
【技術分野】
【０００１】
本考案は紙容器等に適用して好適な容器に関する。
【背景技術】
【０００２】
従来の紙容器は、特許文献１に記載の如く、筒状の胴体の一端に板紙からなる底面を形成し、他端の開口に蓋体を被着している。
【０００３】
また、従来の紙容器は、筒状に巻いた板紙の両端部を接合して胴体を形成している。
【０００４】
また、従来の紙容器は、筒状の胴体の両端を同形状、例えば円形端と円形端、又は角形端と角形端にしている。
【先行技術文献】
【特許文献】
【０００５】
【特許文献１】特開2008-308228
【考案の概要】
【考案が解決しようとする課題】
【０００６】
従来の紙容器で、胴体の一端を板紙からなる底面とし、他端の開口にしか蓋体が被着されないものは、内容物の装填を胴体の両端の双方から行なうことができない。
【０００７】
従来の紙容器で、筒状に巻いた板紙の両端部を接合して胴体を形成するものは、胴体の外面に切開加工部を設けると、胴体の内面が露出したり、胴体の内部への異物の混入を招いたり、胴体に挿入係止した取手が内容物をキズつける等のおそれがある。従って、胴体の外面に切開加工部を設けることが困難であり、外観に凹凸感を付与する等のデザイン性の多様化に困難がある。
【０００８】
従来の紙容器で、筒状の胴体の両端を円形状とするものも、外観が単純で変化に欠ける。
【０００９】
本考案の課題は、容器において、胴体の両端の双方から内容物を装填可能にすることにある。
【００１０】
本考案の他の課題は、容器において、外観性を向上することにある。
【課題を解決するための手段】
【００１１】
請求項１の考案は、筒状の胴体の両端の開口に蓋体を被着してなる容器である。
【００１２】
請求項２の考案は、請求項１の考案において更に、前記胴体が板紙を多重巻きしてなるようにしたものである。
【００１３】
請求項３の考案は、請求項２の考案において更に、前記多重巻きした胴体の外面形成紙に切開加工部を設けてなるようにしたものである。
【００１４】
請求項４の考案は、請求項２又は３の考案において更に、前記多重巻きした胴体の外面形成紙に設けた取付孔に取手を挿入係止してなるようにしたものである。
【００１５】
請求項５の考案は、請求項３又は４の考案において更に、前記多重巻きした胴体の外面形成紙の左面と右面に設けた切開加工部が左右の着座部を形成するようにしたものである。
【００１６】
請求項６の考案は、請求項２〜５のいずれかの考案において更に、前記多重巻きした胴体の外面形成紙の一部が、該胴体の筒面から外方に飛び出る飛び出し部を形成するようにしたものである。
【００１７】
請求項７の考案は、筒状の胴体の両端が互いに異形状をなし、それらの少なくとも一端の開口に蓋体を被着してなる容器である。
【考案の効果】
【００１８】
（請求項１）
(a)容器において、筒状の胴体の両端の開口に蓋体を被着した。従って、胴体の両端の開口の双方から内容物を装填できる。また、胴体の両端を蓋体の被着により補強できる。
【００１９】
（請求項２）
(b)胴体が板紙を多重巻きしてなるものにした。従って、１枚の板紙を単に多重巻きするだけで板紙を多層化した胴体を簡易に形成し、胴体を強化できる他、下記(c)〜(f)を奏する。
【００２０】
（請求項３）
(c)多重巻きした胴体の外面形成紙に切開加工部を設けた。従って、例えば外面形成紙に孔状切開加工部を設け、内面形成紙に付した色彩面を外面形成紙の孔内に配し、凹凸感のある色付立体模様を外観に表わす等、容器の外観デザイン性を多様化しながら、胴体の内部を露出させず、胴体の内部への異物の混入を招くこともない。
【００２１】
（請求項４）
(d)多重巻きした胴体の外面形成紙に設けた取付孔に取手を挿入係止した。取手の取付片は胴体の外面形成紙の取付孔に挿入されるものの、内面形成紙の介在により内容物をキズつける等のおそれがない。
【００２２】
（請求項５）
(e)多重巻きした胴体の外面形成紙の左面と右面に設けた切開加工部が左右の着座部を形成する。胴体以外の部品を用いることなく、容器の円筒状等の胴体を転がらせることなく安定的に着座させることができる。
【００２３】
（請求項６）
(f)多重巻きした胴体の外面形成紙の一部が、該胴体の筒面から外方に飛び出る飛び出し部を形成した。胴体以外の部品を該胴体に取付ける等なく、動物等の形態を簡易に表現でき、容器の外観性を向上できる。
【００２４】
（請求項７）
(g)筒状の胴体の両端が互いに異形状をなし、それらの少なくとも一端の開口に蓋体を被着した。従って、容器の外観に変化を与え、外観性を向上できる。
【図面の簡単な説明】
【００２５】
【図１】図１は実施例１の紙容器を示す斜視図である。
【図２】図２は紙容器を示す断面図である。
【図３】図３は図２のIII−III線に沿う断面図である。
【図４】図４は胴体の部品を示す展開図である。
【図５】図５は取手の部品を示す展開図である。
【図６】図６は蓋体の部品を示し、（Ａ）は帯板を示す展開図、（Ｂ）は塞ぎ板を示す展開図である。
【図７】図７は実施例２の紙容器を示し、（Ａ）は斜視図、（Ｂ）は側面図である。
【図８】図８は紙容器を示し、（Ａ）は断面図、（Ｂ）はB−B線に沿う断面図である。
【図９】図９は実施例３の紙容器を示し、（Ａ）は斜視図、（Ｂ）は側面図である。
【図１０】図１０は紙容器を示し、（Ａ）は断面図、（Ｂ）はB−B線に沿う断面図である。
【図１１】図１１は実施例４の紙容器を示し、（Ａ）は斜視図、（Ｂ）は平面図である。
【図１２】図１２は紙容器を示し、（Ａ）は断面図、（Ｂ）はB−B線に沿う断面図である。
【考案を実施するための形態】
【００２６】
（実施例１）（図１〜図６）
図１〜図３に示す紙容器１は、筒状、本実施例では円筒状の胴体１０の前後両端の開口に円環状の蓋体３０、４０を着脱可能に被着したものである。紙容器１は例えば牛等の動物の形態を表わす。
【００２７】
胴体１０は、図４に示した板紙１１を多重巻き、本実施例では２重巻きしてなるものである。板紙１１は長尺紙の長手方向の中央に設けた折り込み線１１Ａに対する一側半部を内面形成紙１２とし、他側半部を外面形成紙１３とし、内面形成紙１２の表面を例えば黒色等の色彩を付した色彩面１２Ａとし、外面形成紙１３の各所に一定の模様をなす切開加工部としての孔１３Ａを開口している。板紙１１は長手方向に沿う内面形成紙１２と外面形成紙１３の各外縁の幅方向の中央に折り込み線１１Ｂを介する係入片１４、１５を設け、上述の折り込み線１１Ａに沿う幅方向の中央に係入孔１６を設ける。板紙１１は円筒状に１巻きした内面形成紙１２の側の係入片１４を係入孔１６に係入し、この内面形成紙１２の外周に沿って円筒状に１巻きした外面形成紙１３の側の係入片１５を係入孔１６に係入することにより、２重巻きされた円筒状の胴体１０を形成する。
【００２８】
この胴体１０にあっては、内面形成紙１２に付した色彩面１２Ａを外面形成紙１３の孔１３Ａ内に配し、牛等の動物の表面が備える凹凸感のある色付立体模様を外観に表わすものになる。
【００２９】
胴体１０の板紙１１は、外面形成紙１３の長手方向の中間部、かつ幅方向の前後両端寄りに取手２０のためのＴ字切込み状取付孔２１、２１を形成している。取手２０は図５に示す如く、取手片２０Ａの両端に折り込み線を介して取付片２０Ｂ、２０Ｂを備えている。２重巻きした胴体１０の外面形成紙１３に設けた取付孔２１、２１に取手２０の取付片２０Ｂ、２０Ｂが挿入係止されるものになる。
【００３０】
胴体１０の板紙１１は、外面形成紙１３の長手方向の両側である左面と右面に、切開加工部としての左右の着座部１７（前脚部１７Ａと後脚部１７Ｂ）、着座部１８（前脚部１８Ａと後脚部１８Ｂ）を切り起こしている。２重巻きした胴体１０の外面形成紙１３の左面と右面に設けた左右の着座部１７、１８が、牛等の動物の左右の脚部を表わすものになって胴体１０の転がりを防ぐ。
【００３１】
胴体１０の板紙１１は、外面形成紙１３の長手方向の中間部、かつ幅方向の前端部に、胴体１０の筒面から外方に飛び出る飛び出し部１９を設けることもできる。飛び出し部１９は、牛等の動物の例えば耳部を表わす。外面形成紙１３の前縁部から延在する飛び出し部１９は、その基端部を蓋体３０の後述する紙管３２の内周に納められ、該紙管３２の縁から外方に飛び出るように規制され、胴体１０の前縁部より内方側の筒面から外方に飛び出るものとされ、牛等を表わす形態の立体感を一層向上できる。
【００３２】
蓋体３０は、図６（Ａ）に示した帯板３１を円環状にし、その両端部を糊付けしてなる紙管３２の巻込みカール部３２Ａの巻込み端に、図６（Ｂ）に示した塞ぎ板３３を嵌着することにより形成される。蓋体４０も、蓋体３０と同様に、帯板４１からなる紙管４２と、塞ぎ板４３により形成される。紙容器１は、胴体１０の両端の外周に、蓋体３０、４０の紙管３２、４２が嵌合されて被着されるものになる。
【００３３】
本実施例によれば以下の作用効果を奏する。
(a)紙容器１において、筒状の胴体１０の両端の開口に蓋体３０、４０を被着した。従って、胴体１０の両端の開口の双方から内容物を装填できる。また、胴体１０の両端を蓋体３０、４０の被着により補強できる。
【００３４】
(b)胴体１０が板紙１１を多重巻きしてなるものにした。従って、１枚の板紙１１を単に多重巻きするだけで板紙１１を多層化した胴体１０を簡易に形成し、胴体１０を強化できる他、下記(c)〜(f)を奏する。
【００３５】
(c)多重巻きした胴体１０の外面形成紙１３に切開加工部を設けた。従って、例えば外面形成紙１３に孔状切開加工部１３Ａを設け、内面形成紙１２に付した色彩面１２Ａを外面形成紙１３の孔１３Ａ内に配し、凹凸感のある色付立体模様を外観に表わす等、紙容器１の外観デザイン性を多様化しながら、胴体１０の内部を露出させず、胴体１０の内部への異物の混入を招くこともない。
【００３６】
(d)多重巻きした胴体１０の外面形成紙１３に設けた取付孔２１に取手２０を挿入係止した。取手２０の取付片２０Ｂは胴体１０の外面形成紙１３の取付孔２１に挿入されるものの、内面形成紙１２の介在により内容物をキズつける等のおそれがない。
【００３７】
(e)多重巻きした胴体１０の外面形成紙１３の左面と右面に設けた切開加工部が左右の着座部１７、１８を形成する。胴体１０以外の部品を用いることなく、紙容器１の円筒状等の胴体１０を転がらせることなく安定的に着座させることができる。
【００３８】
(f)多重巻きした胴体１０の外面形成紙１３の一部が、該胴体１０の筒面から外方に飛び出る飛び出し部１９を形成した。胴体１０以外の部品を該胴体１０に取付ける等なく、動物等の形態を簡易に表現でき、紙容器１の外観性を向上できる。
【００３９】
尚、紙容器１は、胴体１０と蓋体３０、４０を、円筒状と円環状にするものに限らず、角筒状と角環状にするものでも良い。
【００４０】
また、紙容器１は、図２に示す如く、胴体１０の外面形成紙１３に切開加工部としてのカード差込口２２を切開き、カード差込口２２から差し込まれるカード２３等を内面形成紙１２と外面形成紙１３の間隙に保持することもできる。
【００４１】
（実施例２）（図７、図８）
図７、図８に示す紙容器１００が図１〜図６に示した紙容器１と異なる点は、筒状の胴体１０の両端が互いに異形状をなし、胴体１０の一端側を円筒状、他端側を角筒状にし、胴体１０の一端の開口に円環状の蓋体３０を着脱可能に被着し、他端の開口に角環状の蓋体４０を着脱可能に被着したことにある。紙容器１００の外観に変化を与え、外観性を向上できる。
【００４２】
尚、紙容器１００にあっては、胴体１０が板紙１１の１巻きからなるものとして図示したが、紙容器１におけると同様に、胴体１０を板紙１１の多重巻きからなるもの（内面形成紙１２と外面形成紙１３を備える）にし、外面形成紙１３に紙容器１におけると同様の孔１３Ａ、着座部１７、１８、カード差込口２２等の切開加工部を設けるものでも良い。
【００４３】
（実施例３）（図９、図１０）
図９、図１０に示す紙容器２００が図１〜図６に示した紙容器１と異なる点は、筒状の胴体１０の両端が互いに異形状をなし、胴体１０の一端側を円筒状、他端側を角筒状にし、胴体１０の一端の開口に円環状の蓋体３０を着脱可能に被着し、他端の開口を胴体１０の板紙１１を延在させた蓋フラップ２０１（左右の内フラップ２０１Ａ、２０１Ａと、外フラップ２０１Ｂ）により開閉可能にしたことにある。外フラップ２０１Ｂの先端差込片が胴体１０の他端開口に差込まれる。紙容器２００の外観に変化を与え、外観性を向上できる。
【００４４】
尚、紙容器２００にあっては、胴体１０が板紙１１の１巻きからなるものとして図示したが、紙容器１におけると同様に、胴体１０を板紙１１の多重巻きからなるもの（内面形成紙１２と外面形成紙１３を備える）にし、外面形成紙１３に紙容器１におけると同様の孔１３Ａ、着座部１７、１８、カード差込口２２等の切開加工部を設けるものでも良い。
【００４５】
（実施例４）（図１１、図１２）
図１１、図１２に示す紙容器３００が図１〜図６に示した紙容器１と異なる点は、筒状の胴体１０の両端が互いに異形状をなし、胴体１０の一端側を円筒状、他端側を扁平状にし、胴体１０の一端の開口に円環状の蓋体３０を着脱可能に被着し、他端の開口を胴体１０の板紙１１を延在させた蓋フラップ３０１により開閉可能にしたことにある。蓋フラップ３０１が胴体１０の係合片３０２の内側に差込まれる。紙容器３００の外観に変化を与え、外観性を向上できる。
【００４６】
尚、紙容器３００にあっては、胴体１０が板紙１１の１巻きからなるものとして図示したが、紙容器１におけると同様に、胴体１０を板紙１１の多重巻きからなるもの（内面形成紙１２と外面形成紙１３を備える）にし、外面形成紙１３に紙容器１におけると同様の孔１３Ａ、着座部１７、１８、カード差込口２２等の切開加工部を設けるものでも良い。
【００４７】
以上、本考案の実施例を図面により詳述したが、本考案の具体的な構成はこの実施例に限られるものではなく、本考案の要旨を逸脱しない範囲の設計の変更等があっても本考案に含まれる。例えば、本考案の容器は、プラスチック、金属等からなるものでも良い。
【産業上の利用可能性】
【００４８】
本考案は、容器において、筒状の胴体の両端の開口に蓋体を被着してなるものとすることにより、胴体の両端の双方から内容物を装填することができる。また、本考案は、容器において、胴体が板紙を多重巻きしてなるものとすることにより、外観性を向上することができる。
【符号の説明】
【００４９】
１、１００、２００、３００  紙容器（容器）
１０  胴体
１１  板紙
１２  内面形成紙
１３  外面形成紙
１３Ａ  孔（切開加工部）
１７、１８  着座部（切開加工部）
１９  飛び出し部
２０  取手
２１  取付孔
２２  カード差込口（切開加工部）
３０、４０  蓋体
【図１】
0003151077.tif 000003
【図２】
0003151077.tif 000004
【図３】
0003151077.tif 000005
【図４】
0003151077.tif 000006
【図５】
0003151077.tif 000007
【図６】
0003151077.tif 000008
【図７】
0003151077.tif 000009
【図８】
0003151077.tif 000010
【図９】
0003151077.tif 000011
【図１０】
0003151077.tif 000012
【図１１】
0003151077.tif 000013
【図１２】
0003151077.tif 000014